(57)【要約】      （修正有）【課題】左右壁及び底板が一体的に形成され、これとは別体で前後壁が一体形成され、製造コストが安く抑えられた包装用紙箱において、箱内の上部スペースを広くすることが容易な包装用紙箱を提供する。【解決手段】方形状の底板２と、該底板２の四辺から立上る４つの側壁３，３，４，４における向い合う一対の側壁３，３である左右壁を、底板２の対向辺にそれぞれ一体的に連設し、向い合う他の一対の側壁４，４である前後壁を、互いの上端側同士が連接されるように形成し、該前後壁４，４の下端部を係脱可能に底板２の前後辺側に係合させ、左右壁３，３及び前後壁４，４の上端側に把手部６を設け、把手部６を前後壁４，４及び左右壁３，３と別に形成し、該把手部６を、前後壁４，４の連接部１２の前後幅中途部に左右方向に配置し、左右壁３，３の各上端部側に係脱可能に係止する。【選択図】図２
0003175426.tif 000002
【実用新案登録請求の範囲】
【請求項１】
方形状の底板（２）と、底板（２）の四辺からそれぞれ立上る４つの側壁（３，３，４，４）を備え、向い合う一対の側壁（３，３）である左右壁を、底板（２）の対向辺にそれぞれ一体的に連設し、向い合う他の一対の側壁（４，４）である前後壁を、互いの上端側同士が連接され且つ左右壁（３，３）と別体になるように形成し、該前後壁（４，４）の下端部を係脱可能に底板（２）の前後辺側に係合させ、左右壁（３，３）及び前後壁（４，４）の上端側に把手部（６）を設けた包装用紙箱であって、把手部（６）を前後壁（４，４）及び左右壁（３，３）と別に形成し、該把手部（６）を、前後壁（４，４）の連接部（１２）の前後幅中途部に左右方向に配置するとともに、左右壁（３，３）の各上端部側に係脱可能に係止した包装用紙箱。
【請求項２】
把手部（６）を持上げることにより、左右壁（３，３）の内面が前後壁（４，４）の端面に接触するように、左右壁（３，３）を前後壁（４，４）の左右両外側に配置した請求項１記載の包装用紙箱。
【請求項３】
前後壁（４，４）の上端側と、把手部（６）の下端部とを係脱可能に係合させて位置決めする請求項１又は２の何れかに記載の包装用紙箱。
【請求項４】
前後壁（４，４）の連接部（１２）に、側断面視Ｖ字状に折曲げ形成された谷部（１６）を形成し、該把手部（６）の下端部を、Ｖ字形谷部（１６）に挿入した請求項３記載の包装用紙箱。
【請求項５】
Ｖ字形の谷部（１６）の前後両側に形成された山形の折り目（１４ａ，１４ａ）を、その中央側が両端側に対して平面視外側に湾曲した円弧状に形成した請求項４記載の包装用紙箱。
【請求項６】
前後壁（４，４）のＶ字形の谷部（１６）の底側にスリット状の差込孔（１２ａ）を形成し、該差込孔（１２ａ）に挿脱可能に挿入される爪部（２１）を把手部（６）の下端部に形成した請求項４又は５の何れかに記載の包装用紙箱。
【請求項７】
連接部（１２）の左右端側にそれぞれ個別に折り目（１４ｂ）を形成し、該左右の折り目（１４ｂ）によって連接部（１２）の左右両側に各別に谷部（１６）を形成した請求項４乃至６の何れかに記載の包装用紙箱。
【請求項８】
先端側が上側を向いたフック部（１７）を把手部（６）の左右端部に形成するとともに、左右壁（３，３）の上部に、前記フック部（１７）を引掛けて係合する係合部（３ａ）を形成した請求項１乃至７の何れかに記載の包装用紙箱。
【請求項９】
左右壁（３，３）の間に位置する前後壁（４，４）が、側面視左右壁（３，３）から外側に突出しない大きさに形成された請求項１乃至８の何れかに記載の包装用紙箱。
【請求項１０】
底板（２）の前後端を、折曲げ起立させて底板（２）の剛性を付与した請求項１乃至９の何れかに記載の包装用紙箱。
【請求項１１】
底板（２）における上記折曲げ起立させた部分である前後の補助壁（９，９）と、底板（２）の補助壁（９．９）以外の部分である底部（１１）とを、側断面視円弧状に湾曲された接続部（２７）によって一体的に接続することにより、補助壁（９）を前後に弾力変形可能とし、前後壁（４，４）が前後の補助壁（９，９）を前後方向外側に押圧するようにして該前後璧（４，４）の下端側を底板（２）側に係合させることにより、補助壁（９，９）が前後璧（４，４）に弾力的に密着する請求項１０記載の包装用紙箱。
【考案の詳細な説明】
【技術分野】
【０００１】
この考案は、包装用紙箱に関する。
【背景技術】
【０００２】
方形状の底板と、底板の四辺からそれぞれ立上る４つの側壁を備え、向い合う一対の側壁である左右壁を、底板の対向辺にそれぞれ一体的に連設し、向い合う他の一対の側壁である前後壁を、互いの上端側同士が連接され且つ左右壁と別体になるように形成し、該前後壁の下端部を係脱可能に底板の前後辺側に係合させ、左右壁及び前後壁の上端側に把手部を設け、周壁等にカバーされるようにして食品等の対象物を底板上に載せて使用する特許文献１に示す包装用紙箱が公知になっている。
【先行技術文献】
【特許文献】
【０００３】
【特許文献１】実用新案登録第３１６８９５７号公報
【考案の概要】
【考案が解決しようとする課題】
【０００４】
上記文献の包装用紙箱は、前後壁及び底板が一体的に形成された紙製シートと、左右壁が一体形成された紙製シートとによって構成され、板紙を打抜くことにより、上記２枚の紙製シートを形成可能である。このため、紙の使用量の少なくてすみ、手間も掛からず、コストが低減される。
しかし、左右壁の上端部同士を重ね合せ、この重ね合せ部分を持ち易い形状に成形して把手部としているため、箱内における把手部の真下側近傍スペースが、上記重ね合せによって狭められ状態になる。
【０００５】
本考案は、左右壁及び底板が一体的に形成され、これとは別体で前後壁が一体形成され、製造コストが安く抑えられた包装用紙箱において、箱内の上部スペースを広くすることが容易な包装用紙箱を提供することを課題とする。
【課題を解決するための手段】
【０００６】
上記課題を解決するため、第１に、方形状の底板２と、底板２の四辺からそれぞれ立上る４つの側壁３，３，４，４を備え、向い合う一対の側壁３，３である左右壁を、底板２の対向辺にそれぞれ一体的に連設し、向い合う他の一対の側壁４，４である前後壁を、互いの上端側同士が連接され且つ左右壁３，３と別体になるように形成し、該前後壁４，４の下端部を係脱可能に底板２の前後辺側に係合させ、左右壁３，３及び前後壁４，４の上端側に把手部６を設けた包装用紙箱であって、把手部６を前後壁４，４及び左右壁３，３と別に形成し、該把手部６を、前後壁４，４の連接部１２の前後幅中途部に左右方向に配置するとともに、左右壁３，３の各上端部側に係脱可能に係止したことを特徴としている。
【０００７】
第２に、把手部６を持上げることにより、左右壁３，３の内面が前後壁４，４の端面に接触するように、左右壁３，３を前後壁４，４の左右両外側に配置したことを特徴としている。
【０００８】
第３に、前後壁４，４の上端側と、把手部６の下端部とを係脱可能に係合させて位置決めすることを特徴としている。
【０００９】
第４に、前後壁４，４の連接部１２に、側断面視Ｖ字状に折曲げ形成された谷部１６を形成し、該把手部６の下端部を、Ｖ字形谷部１６に挿入したことを特徴としている。
【００１０】
第５に、Ｖ字形の谷部１６の前後両側に形成された山形の折り目１４ａ，１４ａを、その中央側が両端側に対して平面視外側に湾曲した円弧状に形成したことを特徴としている。
【００１１】
第６に、前後壁４，４のＶ字形の谷部１６の底側にスリット状の差込孔１２ａを形成し、該差込孔１２ａに挿脱可能に挿入される爪部２１を把手部６の下端部に形成したことを特徴としている。
【００１２】
第７に、連接部１２の左右端側にそれぞれ個別に折り目１４ｂを形成し、該左右の折り目１４ｂによって連接部１２の左右両側に各別に谷部１６を形成したことを特徴としている。
【００１３】
第８に、先端側が上側を向いたフック部１７を把手部６の左右端部に形成するとともに、左右壁３，３の上部に、前記フック部１７を引掛けて係合する係合部３ａを形成したことを特徴としている。
【００１４】
第９に、左右壁３，３の間に位置する前後壁４，４が、側面視左右壁３，３から外側に突出しない大きさに形成されたことを特徴としている。
【００１５】
第１０に、底板２の前後端を、折曲げ起立させて底板２の剛性を付与したことを特徴としている。
【００１６】
第１１に、底板２における上記折曲げ起立させた部分である前後の補助壁９，９と、底板２の補助壁９．９以外の部分である底部１１とを、側断面視円弧状に湾曲された接続部２７によって一体的に接続することにより、補助壁９を前後に弾力変形可能とし、前後壁４，４が前後の補助壁９，９を前後方向外側に押圧するようにして該前後璧４，４の下端側を底板２側に係合させることにより、補助壁９，９が前後璧４，４に弾力的に密着することを特徴としている。
【考案の効果】
【００１７】
把手部を前後壁及び左右壁と別に形成し、該把手部を、前後壁の連接部の前後幅中途部に左右方向に配置するとともに、左右壁の各上端部側に係脱可能に係止しているため、左右壁の上端部同士を重ねる必要がなく、箱内において上記連接部に近い側である上部側に、より広いスペースを確保できる他、左右壁の上端部間に把手部が架渡された状態になるため、左右壁を取外して、前後を開放させた状態で使用することも可能になり、汎用性も向上する。
【００１８】
また、把手部を持上げることにより、左右壁の内面が前後壁の端面に接触するように、左右壁を前後壁の左右両外側に配置した構成によれば、箱内の密閉性が向上する。
【００１９】
また、前後壁の上端側と、把手部の下端部とを係脱可能に係合させて位置決めする構成によれば、把手部の位置が安定し、より持ち易くなるとともに、前後壁の上端側も変形しずらくなる。
【００２０】
さらに、前後壁の連接部に、側断面視Ｖ字状に折曲げ形成された谷部を形成し、該把手部の下端部を、Ｖ字形谷部に挿入した構成によれば、把手部と、前後壁の連接部とが互いにより安定した状態で位置決めされる。
【００２１】
なお、Ｖ字形の谷部の前後両側に形成された山形の折り目を、その中央側が両端側に対して平面視外側に湾曲した円弧状に形成した構成によれば、この折り目によって、前後壁がより外側に膨らむため、箱内の上部にさらに広いスペースを確保できる。
【００２２】
また、前後壁のＶ字形の谷部の底側にスリット状の差込孔を形成し、該差込孔に挿脱可能に挿入される爪部を把手部の下端部に形成した構成によれば、把手部と、前後壁の連接部とが互いにより安定した状態で位置決めされる。
【００２３】
また、連接部の左右端側にそれぞれ個別に折り目を形成し、該左右の折り目によって連接部の左右両側に各別に谷部を形成したものによれば、連接部の左右幅全体に亘り折り目が形成されないため、連接部の強度が高く保持できる。
【００２４】
さらに、先端側が上側を向いたフック部を把手部の左右端部に形成するとともに、左右壁の上部に、前記フック部を引掛けて係合する係合部を形成した構成によれば、把手部の左右壁からの着脱がより容易になり、組立時の利便性が向上する。
【００２５】
なお、左右壁の間に位置する前後壁が、側面視左右壁から外側に突出しない大きさに形成された構成によれば、左右壁と前後壁の間の隙間が形成され難くなり、箱内の密閉性が向上する。
【００２６】
また、底板の前後端を、折曲げ起立させて底板の剛性を付与した構成によれば、底板により重い物を載せることが可能になり、汎用性や利便性が向上する。
【００２７】
また、底板における上記折曲げ起立させた部分である前後の補助壁と、底板の補助壁以外の部分である底部とを、側断面視円弧状に湾曲された接続部によって一体的に接続することにより、補助壁を前後に弾力変形可能とし、前後壁が前後の補助壁を前後方向外側に押圧するようにして該前後璧の下端側を底板側に係合させることにより、補助壁が前後璧に弾力的に密着するものによれば、補助壁との密着によって、前後璧がさらに高い強度で、底板側に係止される他、内部の密閉性も向上する。
【図面の簡単な説明】
【００２８】
【図１】本発明を適用した包装用紙箱の斜視図である。
【図２】図１に示す包装用紙箱の左右壁の一方を開放させた状態を示す斜視図である。
【図３】（Ａ）は把手部の展開図であり、（Ｂ）は前後壁の展開図であり、（Ｃ）は左右壁及び底板の展開図である。
【図４】把手部の左右端部を、左右壁にそれぞれ係合して装着した状態を示す斜視図である。
【図５】（Ａ），（Ｂ）は本発明の別実施形態を示す底板及び左右壁の要部展開図と、左右壁の側面図である。
【図６】本発明の別実施形態を示す包装用紙箱の斜視図である。
【図７】図６に示す包装用紙箱の左右壁を開放させた状態を示す要部斜視図である。
【図８】底板側の構成を示す側面図である。
【図９】把手部の正面図である。
【考案を実施するための形態】
【００２９】
図１は、本発明を適用した包装用紙箱の斜視図であり、図２は、図１に示す包装用紙箱の左右壁の一方を開放させた状態を示す斜視図であり、図３（Ａ）は把手部の展開図であり、（Ｂ）は前後壁の展開図であり、（Ｃ）は左右壁及び底板の展開図である。これの図に示す包装用紙箱１は、長方形状又は正方形状（図示する例では左右方向に長い長方形状）の底板２と、底板２の四辺からそれぞれ立上る４つの側壁３，３，４，４と、側壁３，３，４，４の上端側に設けられた把手部６とを備え、底板２から立上った上記４つの側壁３，３，４，４は包装用紙箱１の周壁を構成し、この４つの側壁３，３，４，４の内、向い合う一対の側壁が左右壁３，３になるとともに、向い合う他の一対の側壁は前後壁４，４になり、この左右壁３，３及び前後壁４，４によって四方を囲繞される内部スペースＳが箱内の空間になる。
【００３０】
上記左右壁３，３の全長方向一端は底板２との連接端になるととも他端は自由端になり、これによって、左右壁３，３が底板２の一対の短辺（対向辺）側にそれぞれ連設される。言換えると、左右の側壁３，３及び底板２は、フレキシブルに変形可能な一枚の板紙を打抜くことにより、一体形成される紙製シート７である。
【００３１】
この紙製シート７における左右の側壁３，３と底板２との境には折り目７ａが形成され、この折り目７ａを介して、左右壁３，３を底板２に対して起立するように折曲げると、該左右の側壁３，３の連接端が下端に位置するとともに自由端が上端に位置した状態になる。
【００３２】
また、左右各側壁３，３は、連接端から自由端に向かって前後幅が徐々に狭くなる形状に成形され、該側壁３の自由端寄り箇所には、該側壁３の全長方向（側壁３を起立させた状態では上下方向）に細長いスリット状の係合孔（係合部）３ａが穿設されている。
【００３３】
さらに詳しい説明をすると、左右壁３，３の前後各縁における連接端寄り部分が、前後方向外側に山形に盛上る円弧状に形成され、左右壁３，３の前後各縁における自由端寄り部分が、上記円弧状部分から連続し且つ先端側に向かって前後方向内側に傾斜した形状に成形され、左右壁３，３の自由端が、底板２の短辺に平行な直線状に形成されている。
【００３４】
上記底板２は上記の通り左右壁３，３と一体形成され、この底板２の各長辺側端部を、折曲げ起立させることにより、左右方向に帯状に延びる前後一対の補助壁９，９を形成している。このように補助壁９，９を折曲げ可能にするため、底板２における前後の補助壁９，９以外の部分である底部１１と、前後の補助壁９，９との境には、左右方向の折り目７ｂが形成されている。
【００３５】
上記前後壁４，４は、上記左右壁３，３及び底板２とは別体形成され、この前後各側壁４，４の全長方向一端側には、該前後壁４，４同士を連接させる連接部１２が一体的に設けられるとともに、他端側は、底板２の長辺側に係脱自在に係合される係合端になる。
【００３６】
この他、前後壁４，４の左右各縁は、外側に山形に膨出した円弧状に形成され、各係合端の左右方向中央部には、底板２における底部１１長辺側に穿設された左右方向に細長いスリット状の係合孔（係合部）２ａに挿脱自在に差込まれる係合爪１３が一体形成されている。ちなみに、係合爪１３及び連接部１２を含む前後壁４，４は、フレキシブルに変形可能な一枚の板紙を打抜くことにより、一体形成される紙製シート１４である。
【００３７】
この前後壁４，４の係合端を、底板２の一対の長辺（対向辺）側にそれぞれ係脱自在に係合（具体的には、前後の係合爪１３，１３を、底板２の前後の係合孔２ａ，２ａに差込係合）させることにより、前後壁４，４が、側面視逆Ｕ字状に変形した状態で、底板２に装着される。この変形時、連接部１２の前後方向中央部に、側面視Ｖ字状に折曲げられた左右方向の谷部１６が形成される。
【００３８】
具体的には、連接部１２の前後の縁には、左右方向の折り目（端側折り目）１４ａ，１４ａがそれぞれ形成され、連接部１２の前後方向中央には、左右方向に延びる折り目（中央側折り目）１４ｂが形成され、上記一対の端側折り目１４ａ，１４ａは、平面視において、それぞれ前後方向外側に山形をなすように円弧状に湾曲形成されている。そして、一対の端側折り目１４ａ，１４ａをそれぞれ山折りするとともに、中央側折り目１４ｂを谷折りすることにより、前記Ｖ字状の谷部１６を形成している。
【００３９】
さらに、連接部１２は、中央側折り目１４ｂを境に対称な形状に成形され、その左右縁は、それぞれ楔状に左右外側に突出した形状に成形されている。
【００４０】
上記把手部６は左右方向に形成され、把手部６の左右両端部には、先端が上方左右内側に突出し且つ上方側が開放されたフック部１７がそれぞれ形成され、この左右のフック部１７，１７間には、上方に膨出した山部１８が設けられ、把手部６下端の左右両端側には、下方突出する突起片１９，１９がそれぞれ一体形成され、把手部６下端の左右方向中央部には、前記谷部１６の底側（中央側折り目１４ｂ）の左右方向中央部に穿設されて左右方向に細長いスリット状の差込孔１２ａに、係脱自在に差込挿入される半円状の係止爪（爪部）２１が、下方に向かって一体的に突設されている。ちなみに、この把手部６も、フレキシブルに変形可能な一枚の板紙を打抜くことにより、一体形成される紙製シートである。
【００４１】
フック部１７は、山部１８の稜線に沿って斜め下方に延びる上方開放型のスリット状部６ａと、該スリット状部６ａの開放側を拡大させる楔状の切欠き状部６ｂとを、把手部６の左右の各端部に設けることにより、形成されている。
【００４２】
把手部６の左右両端部を、左右壁３，３の係合孔３ａ，３ａにそれぞれ挿通させ、該係合孔３ａの上端を、フック部１７（さらに具体的にはスリット状部６ａ）に引掛けることにより、把手部６の左右両端側が、左右壁３，３の上部に係脱自在に係合される。これによって、左右の側壁３，３の上端部間に把手部６が架渡され、該上端部同士が安定的に連結される。
【００４３】
山部１８の左右及び上下の中央側には、左右方向に長い方形状の持ち手孔６ｃが穿設され、この持ち手孔６ｃの上端側には、左右両端側の切込６ｄ、６ｄによって折畳み部２２が形成され、この折畳み部２２を、折り目６ｅを介して、襞状に折畳むことによって、把手部６の強度を向上させるとともに、持ち手孔６ｃに指を差入れて把手部６を把持する際の持ち易さを向上させている。
【００４４】
左右の突起片１９，１９の間には、前後壁４，４の連接部１２を、嵌合させることができるように構成され、さらに具体的には、連接部１２の中央側折り目１４ｂ部分が、左右の突起片１９，１９間に嵌入され、これによって、把手部６と左右壁３，３とを互いに位置決めしている。
【００４５】
なお、上述した各折り目６ｅ，７ａ，７ｂ，１４ａ，１４ｂの端側には、曲げ時に可動範囲を拡大させて折曲げを容易にする円形状の切欠き部２３が形成されている。
【００４６】
次に、図１乃至図４に基づき、包装用紙箱１の組立手段について、説明する。
本包装用紙箱を組立てるには、まず、底板２の一対の係合孔２ａ，２ａに、近い側の前後壁４，４の一対の係合爪１３，１３をそれぞれ挿入し、前後壁４，４の下端側を、底板２の長辺側にそれぞれ係脱自在に係合させる。
【００４７】
ちなみに、この際、前後壁４，４から前後方向外側に突出した補助壁９，９を、該前後壁４，４に近接又は接触するように起立させることにより、内部スペースＳの密閉性を高める。
【００４８】
続いて、端側折り目１４ａを山折りするとともに、中央側折り目１４ｂを谷折りすることにより、側面視Ｖ字状の谷部１６を形成し、この谷部１６の底側に把手部６の下端側が接触するように、該谷部１６に把手部６を差入れ、両者を係合させる。この際、係止爪２１を、差込孔１２ａに係脱自在に差込挿入するとともに、左右の突起片１９，１９の間に連接部１２の中央側折り目１４ｂが嵌め込むことによっても、把手部６と左右壁４，４とを係合させ、両者の位置決めを行う。
【００４９】
このようにして、前後壁４，４の連接部１２上面側の前後幅中央（中途部）に左右方向を向いた状態で配置された把手部６における左右のフック部１７，１７を、左右壁３，３の係合孔３ａ，３ａを引掛けて係合させることにより、把手部６の左右両端部が、左右壁３，３の上端側にそれぞれ係止され、本包装用紙箱１の組立が完了する。
【００５０】
以上のように構成される本包装用紙箱１は、前後壁４，４の連接部１２によって、内部スペースＳの上方側が閉塞されるとともに、把手部６によって、連接部１２の上面を真下側に押え付ける状態になるため、前後壁４，４が互いに遠ざかるように外側に山形に湾曲し、内部スペースＳが広くなる。
【００５１】
この他、左右壁３，３の前後各縁が上述した形状をなして、この湾曲した前後壁４，４に沿った状態になり、側面視左右の側壁３，３から前後壁４，４が前後方向外側に突出しないため、左右壁３，３と前後壁４，４との間に隙間が形成され難く、密閉性が向上する。
【００５２】
これに加えて、前後一対の端側折り目１４ａ，１４ａは、互いに遠ざかるようにそれぞれ外側に山形に湾曲しているため、前後壁４，４の平断面も、同様の形状に湾曲し、内部スペースＳがさらに広くなる。
【００５３】
図４は、把手部の左右端部を、左右壁にそれぞれ係合して装着した状態を示す斜視図である。同図に示す通り、前後壁４，４を用いず、把手部６の左右両端側に左右壁３，３を係合させ、前後両側が開放された状態で、底部１１にケーキ等の食品を載せて用いてもよい。この場合、食品の周囲の一部が開放された状態になり、食品の出し入れが容易になる他、食品を目視することも可能になる。
【００５４】
次に、図５及び図６に基づき、本発明の別実施形態について上述の形態と異なる点を説明する。
図５（Ａ），（Ｂ）は本発明の別実施形態を示す底板及び左右壁の要部展開図と、左右壁の側面図である。同図に示す包装用紙箱１では、各補助壁９の左右両端から、展開状態で左右方向外側にそれぞれ延出される一対の貼付部２４，２４を設けるとともに、各補助壁９，９の展開時における前後端には、折り目７ｃを介して山折りされる山折り部２６が設けられている。ちなみに、貼付部２４は、折り目７ｄを介して、左右壁３，３の外面側に折曲げられ、該左右壁３，３に貼付される。この貼付部２４及び山折り部２６によって、本包装用紙箱１の強度がさらに向上する。
【００５５】
次に、図６乃至図９に基づき、本発明の別実施形態について上述の形態と異なる点を説明する。
図６は、本発明の別実施形態を示す包装用紙箱の斜視図であり、図７は、図６に示す包装用紙箱の左右壁を開放させた状態を示す要部斜視図であり、図８は、底板側の構成を示す側面図である。これらの図に示された包装用紙箱１では、紙材に合成樹脂を含有させて加熱処理することにより弾性変形可能なシート７を構成している。ちなみに、合成樹脂を含有させた紙製シートの加熱加工によって、弾性力を付与する手法は従来公知のものである。
【００５６】
底部１１と、前後の補助壁９，９とは、折り目７ｂではなく、側断面視円弧状をなすようにＲ加工された接続部２７によって、一体的に接続されている。このシート７の材質と、Ｒ加工された接続部２７によって、補助壁９は、底部１１に対して、前後に弾性変形するように構成される。
【００５７】
また、左右各側壁３の下端部（底板２との連接端部）の前後両側は、それぞれ切欠き形成されて係合凹部２８を構成している。一方、前後各側壁４の下端（係合端）部の左右両側は、左右外側及び下方側に一体的に突出形成されて係合凸部２９を構成している。ちなみに、前後璧３，３には、上述した係合爪１３は設けない。
【００５８】
起立させた左右壁３の左右の係合凹部２８に、前後壁４の左右の係合凸部２９を挿通させるとともに、左右の係合凸部２９，２９の間に、底板２の左右両端を嵌合させることにより、前後璧４，４の下端部が底板２の前後縁側に確実に係止される。
【００５９】
しかも、前後璧４，４は、左右壁３，３の前後縁と、補助壁９とによって、前後から挟持された状態になるため、より高い強度で、係脱自在に係止され、この際、前後壁４，４によって、各補助壁９が前後方向外側に押圧されて弾性変形するため、補助壁９，９の前後方向内側への弾性復帰力が前後璧４，４に作用し、この弾性復帰力によって、補助壁９，９と前後璧４，４とがより密着し、且つ前後璧４，４の係止強度がより高くなる。
【００６０】
ちなみに、該状態では、左右の係合凸部２９，２９が、左右の係合凹部２８，２８から左右外側にそれぞれ突出した状態になるとともに、下方側にもそれぞれ突出した状態になる。
【００６１】
図９は、把手部の正面図である。図７及び図９に示す通り、把手部６は、山部１８が正面視円弧状に形成され、円弧状の山部１８の左右両端部からは、それぞれ上方に突出形成されたフック部１７が一体で設けられている。ちなみに、上述の突起片１９や係止爪２１は設けない。
【００６２】
一方、連接部１２の左右両端部からは、下方に屈曲される受止め部３１がそれぞれ一体形成されており、組立時、この左右の受止め分３１，３１によって、左右壁３，３が受止められる。この左右の受止め分３１，３１には、連接部１２側まで至る左右方向に長い係合スリット３２が切欠き形成されている。また、中央側折り目１４ｂは、連接部１２の係合スリット３２と連続するように、連接部１２の左右端寄り部分に形成され、左右幅全体に亘っては形成されていない。
【００６３】
この左右の係合スリット３２，３２及び谷部１６，１６に、把手部６下縁部の左右端部が、それぞれ嵌め込まれ、連接部１２に把持部６が係脱可能に係合される。
【符号の説明】
【００６４】
１  包装用紙箱
２  底板
３  側壁（左右壁）
３ａ  係合孔（係合部）
４  側壁（前後壁）
６  把手部
９  補助壁
１１  底部
１２  連接部
１２ａ  差込孔
１４ａ  端側折り目（折り目）
１４ｂ  中央側折り目（折り目）
１６  谷部
１７  フック部
２１  係止爪（爪部）
２７  接続部
【図１】
0003175426.tif 000003
【図２】
0003175426.tif 000004
【図３】
0003175426.tif 000005
【図４】
0003175426.tif 000006
【図５】
0003175426.tif 000007
【図６】
0003175426.tif 000008
【図７】
0003175426.tif 000009
【図８】
0003175426.tif 000010
【図９】
0003175426.tif 000011